(57)【要約】【課題】  光記録媒体にレーザ光を照射して情報の書き込みと読み出しとを行う光記録再生装置において、相変化光記録媒体の記録層の破壊を防ぐ。【解決手段】  相変化光記録媒体１に記録されている情報の消去のみ行う際、記録時における消去パワーよりも低い消去パワーで消去を行い、相変化光記録媒体１に記録されている情報を消去した後の信号振幅が記録後（消去前）の和信号振幅の０．１５以下とする。【選択図】  図１
2007311023.tif 000002
【特許請求の範囲】
【請求項１】
相変化光記録媒体にレーザ光を照射して情報の書き込みと読み出しとを行う光記録再生装置であって、
相変化光記録媒体に記録されている情報の消去のみ行う際、記録時における消去パワーよりも低い消去パワーで消去を行い、
前記相変化光記録媒体に記録されている情報を消去した後の信号振幅が記録後（消去前）の和信号振幅の０．１５以下とすることを特徴とする光記録再生装置。
【請求項２】
相変化光記録媒体に記録されている情報の消去のみ行う場合の消去パワーに関する情報を相変化光記録媒体にあらかじめ記録しておき、相変化光記録媒体に記録されている情報の消去のみ行う際、当該相変化光記録媒体に記録されている前記消去パワーに関する情報に基づいて、記録時における消去パワーよりも低い消去パワーで消去を行うことを特徴とする請求項１記載の光記録再生装置。
【請求項３】
相変化光記録媒体にレーザ光を照射して情報の書き込みと読み出しとを行う光記録再生方法であって、
相変化光記録媒体に記録されている情報の消去のみ行う場合の消去パワーに関する情報を相変化光記録媒体にあらかじめ記録しておき、
相変化光記録媒体に記録されている情報の消去のみ行う際、当該相変化光記録媒体に記録されている前記消去パワーに関する情報に基づいて、記録時における消去パワーよりも低い消去パワーで消去を行い、
前記相変化光記録媒体に記録されている情報を消去した後の信号振幅が記録後（消去前）の和信号振幅の０．１５以下とすることを特徴とする光記録再生方法。
【請求項４】
記録および消去が繰り返し可能な記録層と、
前記記録層に記録されている情報の消去のみ行う際、記録時における消去パワーよりも低い消去パワーで消去を行うように光記録再生装置に認識させるための情報と、
０．２４μｍ／ｂｉｔ以上０．２８μｍ／ｂｉｔ以下の線密度と、を備えたことを特徴とする相変化光記録媒体。
【請求項５】
前記記録層に使用されている記録材料が少なくともＡｇ、Ｉｎ、Ｓｂ、Ｔｅのいずれかを含むことを特徴とする請求項４記載の相変化光記録媒体。
【請求項６】
前記記録層の光反射率が２５％以下であることを特徴とする請求項４又は５に記載の相変化光記録媒体。
【請求項７】
当該相変化光記録媒体のグルーブもしくはランドの幅長が波長の５０％以下であることを特徴とする請求項４〜６のいずれかに記載の相変化光記録媒体。
【請求項８】
記録線速が１０ｍ／ｓ以下であることを特徴とする請求項４〜７のいずれかに記載の相変化光記録媒体。
【発明の詳細な説明】
【技術分野】
【０００１】
本発明は相変化光記録媒体にレーザ光を照射して情報の書き込み（記録）と読み出し（再生）とを行う光記録再生装置、光記録再生方法および相変化光記録媒体に関するものである。
【背景技術】
【０００２】
相変化光ディスクに代表される相変化光記録媒体は、記録層がアモルファス相と結晶相との間で可逆的な相変化をすることにより情報の記録消去ができるため、既に情報が記録されている媒体に新たに記録を行う際、記録されている全情報を消去することなく、上書き（オーバーライト）すなわち既記録情報を部分的に逐次消去して記録を行うことができる。
【発明の開示】
【発明が解決しようとする課題】
【０００３】
しかし、相変化光記録媒体に対し消去のみを行う場合、記録時の消去パワーのレーザ光で同一の場所を繰り返し消去すると、相変化光記録媒体の記録層が破壊される可能性がある。記録層は一度破壊されると元に戻らないので、記録再生消去が不可能になってしまう可能性がある。また、消去のみ行う場合でも、記録時と同じだけ時間がかかるという問題もあった。
本発明は、このような従来技術の問題点に鑑み創案されたものであり、その目的は、相変化光記録媒体の記録層の破壊を防ぐことができる光記録再生装置、光記録再生方法および相変化光記録媒体を提供することにある。
【課題を解決するための手段】
【０００４】
上記目的を達成するために、請求項１記載の発明は、相変化光記録媒体にレーザ光を照射して情報の書き込みと読み出しとを行う光記録再生装置であって、相変化光記録媒体に記録されている情報の消去のみ行う際、記録時における消去パワーよりも低い消去パワーで消去を行い、前記相変化光記録媒体に記録されている情報を消去した後の信号振幅が記録後（消去前）の和信号振幅の０．１５以下とすることを特徴とする。
また、請求項２記載の発明は、請求項１記載の光記録再生装置において、相変化光記録媒体に記録されている情報の消去のみ行う場合の消去パワーに関する情報を相変化光記録媒体にあらかじめ記録しておき、相変化光記録媒体に記録されている情報の消去のみ行う際、当該相変化光記録媒体に記録されている前記消去パワーに関する情報に基づいて、記録時における消去パワーよりも低い消去パワーで消去を行うことを特徴とする。
【０００５】
また、請求項３記載の発明は、相変化光記録媒体にレーザ光を照射して情報の書き込みと読み出しとを行う光記録再生方法であって、相変化光記録媒体に記録されている情報の消去のみ行う場合の消去パワーに関する情報を相変化光記録媒体にあらかじめ記録しておき、相変化光記録媒体に記録されている情報の消去のみ行う際、当該相変化光記録媒体に記録されている前記消去パワーに関する情報に基づいて、記録時における消去パワーよりも低い消去パワーで消去を行い、前記相変化光記録媒体に記録されている情報を消去した後の信号振幅が記録後（消去前）の和信号振幅の０．１５以下とすることを特徴とする。
また、請求項４記載の発明に係る相変化光記録媒体は、記録および消去が繰り返し可能な記録層と、前記記録層に記録されている情報の消去のみ行う際、記録時における消去パワーよりも低い消去パワーで消去を行うように光記録再生装置に認識させるための情報と、０．２４μｍ／ｂｉｔ以上０．２８μｍ／ｂｉｔ以下の線密度と、を備えたことを特徴とする。
【０００６】
また、請求項５記載の発明は、請求項４記載の相変化光記録媒体において、前記記録層に使用されている記録材料が少なくともＡｇ、Ｉｎ、Ｓｂ、Ｔｅのいずれかを含むことを特徴とする。
また、請求項６記載の発明は、請求項４又は５記載の相変化光記録媒体において、前記記録層の光反射率が２５％以下であることを特徴とする。
また、請求項７記載の発明は、請求項４〜６のいずれかに記載の相変化光記録媒体において、当該相変化光記録媒体のグルーブもしくはランドの幅長が波長の５０％以下であることを特徴とする。
また、請求項８記載の発明は、請求項４〜７のいずれかに記載の相変化光記録媒体において、記録線速が１０ｍ／ｓ以下であることを特徴とする。
【０００７】
本発明の光記録再生装置および光記録再生方法では、相変化光記録媒体に記録されている情報の消去のみ行う際、記録時における消去パワーよりも低い消去パワーで消去を行い、前記相変化光記録媒体に記録されている情報を消去した後の信号振幅が記録後（消去前）の和信号振幅の０．１５以下になるようにすることによって、相変化光記録媒体の記録層へのダメージを小さく抑えて、記録層の破壊を防ぐことができる。また消し残りが少なくなるため、消去後に記録してもジッタ等の記録特性が良好となる。
本発明の相変化光記録媒体には、記録および消去が繰り返し可能な記録層と、前記記録層に記録されている情報の消去のみ行う際、記録時における消去パワーよりも低い消去パワーで消去を行うように光記録再生装置に認識させるための情報と、０．２４μｍ／ｂｉｔ以上０．２８μｍ／ｂｉｔ以下の線密度と、を備えたことにより、相変化光記録媒体の記録層へのダメージを小さく抑えて、記録層の破壊を防ぐことができる。また高密度記録およびくり返し消去／記録が可能となる。
【発明の効果】
【０００８】
請求項１記載の発明の光記録再生装置によれば、相変化光記録媒体に記録されている情報の消去のみ行う際、記録時における消去パワーよりも低い消去パワーで消去を行い、前記相変化光記録媒体に記録されている情報を消去した後の信号振幅が記録後（消去前）の和信号振幅の０．１５以下になるようにすることによって、相変化光記録媒体の記録層へのダメージを小さく抑えて、記録層の破壊を防ぐことができる。また消し残りが少なくなるため、消去後に記録してもジッタ等の記録特性が良好となる。
請求項２記載の発明の光記録再生装置によれば、相変化光記録媒体にあらかじめ記録されている消去パワーに関する情報に基づいて、記録時における消去パワーよりも低い消去パワーで消去を行うように構成したことにより、光記録媒体の記録層へのダメージを小さく抑えて、記録層の破壊を防ぐことができる。
【０００９】
請求項３記載の発明の光記録再生方法によれば、相変化光記録媒体に記録されている情報の消去のみ行う際、記録時における消去パワーよりも低い消去パワーで消去を行い、前記相変化光記録媒体に記録されている情報を消去した後の信号振幅が記録後（消去前）の和信号振幅の０．１５以下になるようにすることによって、相変化光記録媒体の記録層へのダメージを小さく抑えて、記録層の破壊を防ぐことができる。また消し残りが少なくなるため、消去後に記録してもジッタ等の記録特性が良好となる。
請求項４記載の発明の相変化光記録媒体によれば、記録および消去が繰り返し可能な記録層と、前記記録層に記録されている情報の消去のみ行う際、記録時における消去パワーよりも低い消去パワーで消去を行うように光記録再生装置に認識させるための情報と、０．２４μｍ／ｂｉｔ以上０．２８μｍ／ｂｉｔ以下の線密度と、を備えたことにより、相変化光記録媒体の記録層へのダメージを小さく抑えて、記録層の破壊を防ぐことができる。また高密度記録およびくり返し消去／記録が可能となる。
【００１０】
請求項５記載の発明の相変化光記録媒体によれば、その記録層に使用されている記録材料が少なくともＡｇ、Ｉｎ、Ｓｂ、Ｔｅのいずれかを材料として含むことにより、高密度記録およびくり返し消去／記録が可能となる。
請求項６記載の発明の相変化光記録媒体によれば、記録層の光反射率が２５％以下としたことにより、くり返し消去しても劣化の少ない相変化光記録媒体を実現できる。
請求項７記載の発明の相変化光記録媒体によれば、グルーブもしくはランドの幅長が波長の５０％以下であることにより、消去後の和信号振幅を０．１５以下に抑えて、再度記録してもエラーの少ない記録媒体を実現することができる。
請求項８記載の発明の相変化光記録媒体によれば、記録線速が１０ｍ／ｓ以下であることにより、再度記録してもエラーの少ない記録媒体を実現することができる。
【発明を実施するための最良の形態】
【００１１】
次に、本発明の実施の形態について説明する。
図１は、本発明に係る相変化光記録媒体の層構造を例示する断面図である。同図に示すように、この相変化光記録媒体１は、例えばポリカーボネート製の透明基板２の上に、下部保護層３（例えばＺｎＳ．ＳｉＯ2、ＳｉＮｘ、などの誘電体材料を用いる）、記録層４（例えばＡｇＩｎＳｂＴｅ、ＧｅＳｂＴｅ、などの相変化材料を用いる）、上部保護層５（例えばＺｎＳ．ＳｉＯ2、ＳｉＮｘ、などの誘電体材料をもちいる）、放熱層６（例えばＡｌ、Ａｌ合金、Ａｕ、Ａｇ、などの熱伝導率の高い材料を用いる）、およびＵＶ保護層７（例えばＵＶ硬化樹脂を材料を用いる）を順次積層して構成される。この発明は、このような層構成や材料に限定されるものではないが、前記の層構成、材料とした場合は、記録／再生およびオーバーライト特性がよくなるので好適である。なお、このような相変化光記録媒体１は円盤ディスク状の媒体すなわち相変化光ディスクであってもよいし、カード状、シート状の媒体であってもよい。
この相変化光記録媒体１は、本発明に係る光記録再生装置を使用することにより、１０００回程度繰返し消去しても再度記録再生することができる。
本発明に係る光記録再生装置は、記録時の消去パワーの９０％以下５０％以上で消去を行う機能を有している。
【００１２】
図２に示すように最適記録時（記録時にジッタが最小となる条件）の消去パワーで１０００回消去を実行してから記録すると、ジッタが悪化し１０％以上となってしまう。これは記録層４が劣化したことを示しており、記録層４の劣化によりデータエラーが発生しやすくなる。これに対し、最適記録時の消去パワーの９０％以下５０％以上で１０００回消去してから記録した結果、最適記録時の消去パワーで行った場合よりもいずれもジッタは良好であった。これは記録層４への熱的な影響度が減少したためである。記録してもジッタが悪化しないので、エラーにならずに記録再生が可能である。
本発明に係る相変化光記録媒体１には、これに記録されている情報の消去のみ行う場合、記録時における消去パワーの９０％以下５０％以上の消去パワーで消去を行うように光記録再生装置に認識させるための情報があらかじめ記録されている。
【００１３】
本発明に係る光記録再生装置は、相変化光記録媒体１に消去のみを行う際、消去パワーに関する情報を認識して、記録時における消去パワーの９０％以下５０％以上の消去パワーで消去を行う。具体的には、相変化光記録媒体１の装着時あるいは交換時に、その相変化光記録媒体１に記録されている消去のみの消去パワーの設定値を読み出し、記録されている情報の消去のみ行う場合、消去パワーをその相変化光記録媒体１から読み出した設定値に設定して消去処理を実行する。これにより、繰返し消去して使用してもエラーが発生し難い記録再生を実現できる。
また、本発明の相変化光記録媒体１は、その記録層４に使用されている記録材料が少なくともＡｇ、Ｉｎ、Ｓｂ、Ｔｅのいずれかを材料として含む。
【００１４】
記録層４の相変化材料をＡｇ−Ｉｎ−Ｓｂ−Ｔｅ系にすることによって、高密度記録が可能となる。表１に示すように記録層をＡｇ−Ｉｎ−Ｓｂ−Ｔｅ系にすると記録特性であるジッタ特性が８％となる線密度が０．２４μｍ／ｂｉｔであり、その他の記録材料、たとえばＧｅ−Ｓｂ−Ｔｅ系でも線密度０．２８μｍ／ｂｉｔの高密度記録が可能であった。
［表１］
2007311023.tif 000003
評価条件は、下記のとおりである。
記録時：ＬＤ発振波長＝６３５ｎｍ、開口数（ＮＡ）＝０．６  ジッタ最小ライトパワー記録
再生時：ＬＤ発振波長＝６５０ｎｍ、開口数（ＮＡ）＝０．６  （ＤＶＤ−ＲＯＭ相当）
トラックピッチ：０．７４μｍ／ｂｉｔ
また、本発明では、消去した後の信号振幅が記録後（消去前）の和信号振幅の０．１５以下になるようにする。
消去した後の信号振幅が記録後（消去前）の和信号振幅の０．１５以下になるようにすることによって、消し残りが少なくなるため、消去後に記録してもジッタ等の記録特性が良好となる。
【００１５】
図３に示すように消去後の信号振幅が記録後の信号振幅の０．１５であれば、データエラー（相対値）が急激に増大していないことがわかる。データエラーは消去後（消去パワーは記録時最適パワーの０．９倍）に最適パワーでオーバーライトを１０００回行った後のデータエラーである。
また、本発明では相変化光記録媒体１の結晶の反射率を２５％以下に設定する。
図３に示すようにメディア反射率つまり（記録消去したときの）結晶レベルの反射率が２５％以下で（消去パワー：最適記録時のパワーの９０％以下５０％以上）消去することによって、消去した後の信号振幅が記録後（消去前）の和信号振幅の０．１５以下となる。このことによって消去した後記録してもエラーが急激に増加しない、つまり反射率にすることによってエラーの少ない記録媒体が提供できる。
また、本発明では相変化光記録媒体１のグルーブ（溝）もしくはランドの幅を波長の０．５以下に設定する。
【００１６】
図４に示すように、グルーブもしくはランドの幅が波長の０．５以下とすることによって、消去後の和信号振幅を０．１５以下に抑えることが可能となり、再度記録してもエラーの少ない記録媒体を実現することができる。
また、本発明では相変化光記録媒体１の記録線速を１０ｍ／ｓ以下に設定する。
図５に示すように、記録線速を１０ｍ／ｓとすることによって、消去後の和信号振幅が記録後（消去前）の和信号振幅の０．１５以下となり、再度記録してもエラーの少ない記録媒体を実現できる。
【図面の簡単な説明】
【００１７】
【図１】本発明に係る相変化光記録媒体の層構造を例示する断面図である。
【図２】消去パワー（最適記録時の消去パワーを１とした）とジッタおよび信号振幅比（消去後の信号振幅／消去前の信号振幅）との関係を示した図である。
【図３】反射率とエラー発生率との関係を示した図である。
【図４】溝幅（グルーブの幅）と信号振幅比（消去後の信号振幅／消去前の信号振幅）との関係を示した図である。
【図５】線速と信号振幅比（消去後の信号振幅／消去前の信号振幅）との関係を示した図である。
【符号の説明】
【００１８】
１：相変化光記録媒体、２：基板、３：下部保護層、４：記録層、５：上部保護層、６：放熱層、７：ＵＶ保護層
【図１】
2007311023.tif 000004
【図２】
2007311023.tif 000005
【図３】
2007311023.tif 000006
【図４】
2007311023.tif 000007
【図５】
2007311023.tif 000008